(57)【要約】【課題】  魚にとって棲みやすい環境が得られる魚道用ブロック体を提供する。【解決手段】  魚道用ブロック体３は、河床１ａに、その河床１ａの上面よりも深くなった魚道２の壁面２ａを形成するブロックである。この魚道用ブロック体３は、底版部３ａを構成する下部ブロック４と、上部ブロック５とからなる。そして、上部ブロック５は、下部ブロック４に取付け固定される被取付部５ａと、その被取付部５ａから立ち上がって魚道２の壁面２ａを形成する起立壁３ｂと、その起立壁３ｂの上部から魚道２側に延設される庇３ｃとを有している。【選択図】  図１
2006104846.tif 000002
【特許請求の範囲】
【請求項１】
河床に、その河床の上面よりも深くなった魚道の壁面を形成するように、その魚道に沿って並べられる、魚道用ブロック体であって、
底版部と、その底版部から起立して前記魚道の壁面を形成する起立壁と、その起立壁の上部から前記魚道側に延設される庇とを有することを特徴とする魚道用ブロック体。
【請求項２】
前記庇の先端部分の下方は、前記魚道に沿う方向の全体が開口する開口部となっていることを特徴とする請求項１に記載の魚道用ブロック
【請求項３】
前記魚道用ブロック体は、前記底版部を構成する下部ブロックと、その下部ブロックに取り付けられて前記起立壁および前記庇を有する上部ブロックとを備え、
前記上部ブロックは、前記下部ブロックに取付け固定される被取付部を有し、その被取付部から前記起立壁が立ち上がっていることを特徴とする請求項１または２に記載の魚道用ブロック体。
【請求項４】
前記被取付部は、前記庇と対向位置するように、前記起立壁の下部から延設されていることを特徴とする請求項３に記載の魚道用ブロック体。
【請求項５】
前記下部ブロックと前記上部ブロックとは、
前記上部ブロックが、前記下部ブロックの直上に取り付け可能に、かつ、
前記上部ブロックが、前記下部ブロックに対して前記魚道に沿う方向にずれて、その下部ブロックと、隣に位置する下部ブロックとに跨るように取り付け可能となっていることを特徴とする請求項３または４に記載の魚道用ブロック体。
【請求項６】
前記下部ブロックには、ナット部材がインサートされ、前記被取付部には、取付孔が設けられて、その取付孔に挿通されて前記ナット部材にねじ込まれるボルト部材により、前記上部ブロックは、前記下部ブロックに取り付けられることを特徴とする請求項３ないし５のいずれか１項に記載の魚道用ブロック体。
【請求項７】
請求項１ないし６のいずれか１項に記載の魚道用ブロック体が、前記起立壁が前記魚道の壁面を形成するように並べられてなる、魚道構造。
【請求項８】
請求項１ないし６のいずれか１項に記載の魚道用ブロック体が、前記起立壁が前記魚道の対向する壁面を形成するように、前記魚道の両側に並べられてなる、魚道構造。
【発明の詳細な説明】
【技術分野】
【０００１】
この発明は、魚道用ブロック体、および魚道構造に関するものである。
【背景技術】
【０００２】
従来、河川において、渇水期等の水量が減った際であっても、水深を確保して魚が生息できるように、河床に魚道を構築することがあった。図９に示されるように、この魚道１１は、河床１２の中央部分を深く掘り下げるようにして形成されていた。そして、この魚道１１の壁面１１ａを形成するコンクリート壁１３が、現場でのコンクリート打設により施工されていた。
【発明の開示】
【発明が解決しようとする課題】
【０００３】
ところで、前記従来の魚道１１にあっては、魚が生息できるように単に水深が確保されているにすぎず、魚にとって棲みやすい環境にあるとは言えなかった。
【０００４】
この発明は、上記した従来の欠点を解決するためになされたものであり、その目的とするところは、魚にとって棲みやすい環境が得られる、魚道用ブロック体、および魚道構造を提供することにある。
【課題を解決するための手段】
【０００５】
この発明に係る魚道用ブロック体、および魚道構造は、前記目的を達成するために、次の構成からなる。すなわち、
請求項１に記載の発明に係る魚道用ブロック体は、河床に、その河床の上面よりも深くなった魚道の壁面を形成するように、その魚道に沿って並べられる、魚道用ブロック体である。この魚道用ブロック体は、底版部と、その底版部から起立して前記魚道の壁面を形成する起立壁と、その起立壁の上部から前記魚道側に延設される庇とを有する。こうして、この魚道用ブロック体が並べられて、河床の上面よりも深くなった魚道が形成される。そして、この魚道により、渇水期等の水量が減ったときでも、水深が確保されて魚が生息できるようになる。しかも、この魚道用ブロック体は、魚道の壁面を形成する起立壁の上部から、魚道側に延設された庇を有している。したがって、この魚道における庇の下方が陰となって、魚が棲みやすい。
【０００６】
また、請求項２に記載の発明に係る魚道用ブロック体は、請求項１に記載の魚道用ブロック体において、前記庇の先端部分の下方は、前記魚道に沿う方向の全体が開口する開口部となっている。これにより、魚道の魚は、庇の先端部分の下方の開口部を通って、庇の下方部分と自由に行き来することができる。
【０００７】
また、請求項３に記載の発明に係る魚道用ブロック体は、請求項１または２に記載の魚道用ブロック体において、前記底版部を構成する下部ブロックと、その下部ブロックに取り付けられて前記起立壁および前記庇を有する上部ブロックとを備える。そして、前記上部ブロックは、前記下部ブロックに取付け固定される被取付部を有し、その被取付部から前記起立壁が立ち上がっている。このように、魚道用ブロック体が、下部ブロックと上部ブロックとに分離されることから、この魚道用ブロック体の製造とか運搬が容易となる。
【０００８】
また、請求項４に記載の発明に係る魚道用ブロック体は、請求項３に記載の魚道用ブロック体において、前記被取付部は、前記庇と対向位置するように、前記起立壁の下部から延設されている。こうして、被取付部が、庇と対向位置することから、上部ブロックを、下部ブロックに安定して取り付けることができる。
【０００９】
また、請求項５に記載の発明に係る魚道用ブロック体は、請求項３または４に記載の魚道用ブロック体において、前記下部ブロックと前記上部ブロックとは、前記上部ブロックが、前記下部ブロックの直上に取り付け可能に、かつ、前記上部ブロックが、前記下部ブロックに対して前記魚道に沿う方向にずれて、その下部ブロックと、隣に位置する下部ブロックとに跨るように取り付け可能となっている。このように、下部ブロックと上部ブロックとの組付には、二種類の組付方があるため、施工現場に適した組付方を適宜選択することができる。
【００１０】
また、請求項６に記載の発明に係る魚道用ブロック体は、請求項３ないし５のいずれか１項に記載の魚道用ブロック体において、前記下部ブロックには、ナット部材がインサートされ、前記被取付部には、取付孔が設けられて、その取付孔に挿通されて前記ナット部材にねじ込まれるボルト部材により、前記上部ブロックは、前記下部ブロックに取り付けられる。このように、上部ブロックが下部ブロックに、ボルト部材により取り付けられることで、これら下部ブロックと上部ブロックとは、強固に組み付けられる。
【００１１】
また、請求項７に記載の発明に係る魚道構造は、請求項１ないし６のいずれか１項に記載の魚道用ブロック体が、前記起立壁が前記魚道の壁面を形成するように並べられてなる。
【００１２】
また、請求項８に記載の発明に係る魚道構造は、請求項１ないし６のいずれか１項に記載の魚道用ブロック体が、前記起立壁が前記魚道の対向する壁面を形成するように、前記魚道の両側に並べられてなる。
【発明の効果】
【００１３】
この発明に係る魚道用ブロック体、および魚道構造によれば、魚道用ブロック体が、魚道側に延設された庇を有しているため、この庇の下方が陰となって、魚にとって棲みやすい環境が得られる。
【発明を実施するための最良の形態】
【００１４】
以下、この発明に係る魚道用ブロック体、および魚道構造を実施するための最良の形態を図面に基づいて説明する。
【００１５】
図１ないし図８は、本発明の一実施の形態を示す。図中符号１は、河川である。１ａは、前記河川１における河床、１ｂは、護岸である。２は、魚道である。３は、魚道用ブロック体である。
【００１６】
魚道用ブロック体３は、前記河床１ａに、その河床１ａの上面よりも深くなった魚道２の壁面２ａを形成するように、その魚道２に沿って並べられるものである。ここで、魚道用ブロック体３は、底版部３ａと、その底版部３ａから起立して魚道２の壁面２ａを形成する起立壁３ｂと、その起立壁３ｂの上部（図示実施の形態においては、上端）から魚道２側に延設される庇３ｃとを有している（図１参照）。そして、庇３ｃの先端部分の下方は、魚道２に沿う方向の全体が開口する開口部３ｄとなっている。
【００１７】
詳細には、魚道用ブロック体３は、図２ないし図４に示すように、前記底版部３ａを構成する下部ブロック４と、その下部ブロック４に取り付けられて前記起立壁３ｂおよび前記庇３ｃを有する上部ブロック５とを備えている。そして、上部ブロック５は、下部ブロック４に取付け固定される被取付部５ａを有し、その被取付部５ａから前記起立壁３ｂが立ち上がっている。ここにおいて、これら下部ブロック４と上部ブロック５とは、上部ブロック５が、下部ブロック４の直上に取付け可能に、かつ、上部ブロック５が、下部ブロック４に対して前記魚道２に沿う方向にずれて、その下部ブロック４と、隣に位置する下部ブロック４とに跨るように取り付け可能となっている。
【００１８】
具体的には、下部ブロック４は、コンクリート二次製品であって、例えば、略長方形板状に形成されている（図２参照）。そして、この下部ブロック４には、ナット部材４ａがインサートされている。詳細には、ナット部材４ａは、魚道２に沿う方向に並ぶように、二つ設けられている。この下部ブロック４の上面には、前記上部ブロック５の被取付部５ａが取付け固定される取付面４ｂを有している。そして、この取付面４ｂに、前記ナット部材４ａ、４ａのネジ孔が開口している。また、この取付面４ｂは、前側（すなわち、前記魚道２側）ほど下がる傾斜面となっている。そして、その取付面４ｂの前方は、その取付面４ｂよりも高くなった段部４ｃとなっている。なお、符号４ｄは、後述する連結板８ａを取り付けるためのナットである。
【００１９】
上部ブロック５は、下部ブロック４と同様に、コンクリート二次製品であって、例えば、断面コの字状に形成されている（図３参照）。そして、このコの字の、下辺が、前記被取付部５ａとなり、上辺が、前記庇３ｃとなり、下辺と上辺とを繋ぐ中間の辺が、前記起立壁３ｂとなっている。言い換えれば、被取付部５ａは、庇３ｃと対向位置するように、起立壁３ｂの下部から延設されている。ここで、被取付部５ａには、下部ブロック４におけるナット部材４ａ、４ａと対応するように、取付孔５ｂ、５ｂが設けられている。そして、この取付孔５ｂは、魚道２に沿う方向に長手となる長孔となっている。そこで、取付孔５ｂ、５ｂに挿通されて前記ナット部材４ａ、４ａにねじ込まれるボルト部材６、６により、上部ブロック５は、下部ブロック４に取り付けられる。
【００２０】
ここにおいて、図５に示すように、上部ブロック５が、下部ブロック４の直上に取り付けられる場合には、上部ブロック５における各取付孔５ｂ、５ｂは、下部ブロック４における各ナット部材４ａ、４ａに対応するようになっている。そして、図６に示すように、上部ブロック５が、下部ブロック４に対して魚道２に沿う方向にずれて（図示実施の形態においては、下部ブロック４の幅の約半分ずれて）、その下部ブロック４と、隣に位置する下部ブロック４とに跨るように取り付けられる場合には、上部ブロック５における取付孔５ｂ、５ｂは、一方が、その下部ブロック４におけるナット部材４ａに対応し、他方が、隣に位置する下部ブロック４におけるナット部材４ａに対応するようになっている。
【００２１】
図７および図８は、魚道構造７を示す平面図である。この魚道構造７は、前記魚道用ブロック体３、３が、その起立壁３ｂ、３ｂが魚道２の壁面２ａを形成するように並べられてなる。ここにおいて、図７は、上部ブロック５が、下部ブロック４の直上に取り付けられて、魚道用ブロック体３が形成されている場合を示し、隣合う魚道用ブロック体３、３は、連結具８を用いて連結される。この連結具８は、連結板８ａと、連結ボルト８ｂとからなる。すなわち、連結板８ａが、隣合う魚道用ブロック体３、３における下部ブロック４、４に渡されて、連結板８ａを貫通する連結ボルト８ｂ、８ｂが、それぞれの下部ブロック４、４（詳細には、下部ブロック４、４にインサートされたナット４ｄ、４ｄ）にねじ込まれる。また、図８は、上部ブロック５が、下部ブロック４に対して魚道２に沿う方向にずれて取り付けられて、魚道用ブロック体３が形成されている場合を示す。この場合には、前記連結具８は必要なく、上部ブロック５が、隣合う下部ブロック４、４に跨るように取り付けられることで、隣合う魚道用ブロック体３、３が連結される。
【００２２】
これら図７および図８においては、魚道用ブロック体３、３は、それら魚道用ブロック体３、３間の隙間が、魚道２側が狭く、その反対側が広くなるよう配置されることで、連続する起立壁３ｂ、３ｂの魚道２側の面、すなわち魚道２の壁面２ａは、その魚道２側が凹となる曲線に沿うよう位置する。また、反対に、魚道用ブロック体３、３は、それら魚道用ブロック体３、３間の隙間が、魚道２側が広く、その反対側が狭くなるよう配置されれば、魚道２の壁面２ａは、その魚道２側が凸となる曲線に沿うよう位置することとなる。さらに、魚道用ブロック体３、３は、それら魚道用ブロック体３、３間の隙間がなくなるように、あるいは、その隙間が、魚道２側とその反対側とで同じになるように配置されれば、魚道２の壁面２ａは、直線に沿うよう位置することとなる。こうして、魚道用ブロック体３、３を、必要な魚道２の流れ形状に合わせて配置することが可能となる。
【００２３】
そして、図１に示すように、特に、魚道構造７は、前記魚道用ブロック体３、３が、その起立壁３ｂ、３ｂが魚道２の対向する壁面２ａ、２ａを形成するように、魚道２の両側に並べられてなる。そして、庇３ｃの上面は、河床１ａの上面と、ほぼ同一の面上にある。なお、符号９は、魚道用ブロック体３が載置される基礎コンクリートである。
【００２４】
次に、以上の構成からなる魚道用ブロック体３、および魚道構造７の作用効果について説明する。この魚道用ブロック体３および魚道構造７によると、魚道用ブロック体３が並べられて、河床１ａの上面よりも深くなった魚道２が形成される。そして、この魚道２により、渇水期等の水量が減ったときでも、水深が確保されて魚が生息できるようになる。しかも、この魚道用ブロック体３は、魚道２の壁面２ａを形成する起立壁３ｂの上部から、魚道２側に延設された庇３ｃを有している。したがって、この魚道２における庇３ｃの下方が陰となって、魚の隠れ家となることで、魚にとって棲みやすい環境が得られる。
【００２５】
しかも、庇３ｃの先端部分の下方は、魚道２に沿う方向の全体が開口する開口部３ｄとなっているため、魚道２の魚は、この開口部３ｄを通って、庇３ｃの下方部分と自由に行き来することができる。そして、この開口部３ｄにより、例えば、庇３ｃの先端部分の下方に壁が設けられて、その壁に魚が出入りする複数の孔が形成された場合に見られるような、孔が泥等で詰まるようなこともない。
【００２６】
また、この庇３ｃが、魚道２を流れる水の波返しとなり、魚道２を流れる波から、河床１ａを保護することができる。その上、魚道用ブロック体３によって魚道２が形成されることから、元々ある護岸１ｂを局部洗掘等により傷めるようなこともない。
【００２７】
また、魚道用ブロック体３は、下部ブロック４と上部ブロック５とに分離されることから、この魚道用ブロック体３の製造とか運搬が容易となる。そして、このように、魚道用ブロック体３が、下部ブロック４と上部ブロック５とで構成されながら、被取付部５ａが、庇３ｃと対向位置することから、上部ブロック５を、下部ブロック４に安定して取り付けることができる。ここで、下部ブロック４と上部ブロック５とは、上部ブロック５が、下部ブロック４の直上に取り付け可能に（図５参照）、かつ、上部ブロック５が、下部ブロック４に対して魚道２に沿う方向にずれて、その下部ブロック４と、隣に位置する下部ブロック４とに跨るように取り付け可能となっている（図６参照）。このように、下部ブロック４と上部ブロック５との組付には、二種類の組付方があるため、施工現場に適した組付方を適宜選択することができる。そして、この魚道用ブロック体３は、上部ブロック５が下部ブロック４に、ボルト部材６、６により取り付けられることで、これら下部ブロック４と上部ブロック５とは、強固に組み付けられる。
【００２８】
また、魚道用ブロック体３、３は、魚道２の対向する壁面２ａ、２ａを形成するように、その魚道２の両側に並べられており、向かい合う魚道用ブロック体３、３の間隔を調整することで、その魚道２の幅を自由に設定することができる。すなわち、この魚道２の幅を、必要な水深を得るように設定することができる。
【００２９】
なお、本発明は、上述した実施の形態に限定されるわけではなく、その他種々の変更が可能である。例えば、魚道用ブロック体３、３は、魚道２の対向する壁面２ａ、２ａを形成するように、その魚道２の両側に並べられるが、魚道用ブロック体３、３を、魚道２の一方側にのみ並べて、他方側の壁面２ａを、河川１の護岸１ｂ等によって形成してもよい。
【００３０】
また、魚道用ブロック体３は、底版部３ａを構成する下部ブロック４と、起立壁３ｂおよび庇３ｃを有する上部ブロック５とからなっているが、これら底版部３ａ、起立壁３ｂおよび庇３ｃが一体となったブロック（コンクリートブロック）からなっていても構わない。
【図面の簡単な説明】
【００３１】
【図１】この発明の一実施の形態の、全体図である。
【図２】同じく、下部ブロックの斜視図である。
【図３】同じく、上部ブロックの斜視図である。
【図４】同じく、魚道用ブロック体の縦断面図である。
【図５】同じく、上部ブロックを下部ブロックの直上に取り付けた場合の、魚道用ブロック体を示す斜視図である。
【図６】同じく、上部ブロックを下部ブロックにずれて取り付けた場合の、魚道用ブロック体を示す斜視図である。
【図７】同じく、上部ブロックを下部ブロックの直上に取り付けた場合の、魚道構造を示す平面図である。
【図８】同じく、上部ブロックを下部ブロックに跨って取り付けた場合の、魚道構造を示す平面図である。
【図９】従来の魚道を示す全体図である。
【符号の説明】
【００３２】
１ａ  河床
２  魚道
２ａ  壁面
３  魚道用ブロック体
３ａ  底版部
３ｂ  起立壁
３ｃ  庇
３ｄ  開口部
４  下部ブロック
４ａ  ナット部材
５  上部ブロック
５ａ  被取付部
５ｂ  取付孔
６  ボルト部材
７  魚道構造
【図１】
2006104846.tif 000003
【図２】
2006104846.tif 000004
【図３】
2006104846.tif 000005
【図４】
2006104846.tif 000006
【図５】
2006104846.tif 000007
【図６】
2006104846.tif 000008
【図７】
2006104846.tif 000009
【図８】
2006104846.tif 000010
【図９】
2006104846.tif 000011